(57)【要約】【課題】  複室容器を折り畳んだ状態に維持することができ、折り畳みを展開すると複数の薬剤充填室に充填された未混合薬剤を混合することができる複室容器を提供する。【解決手段】  容器本体２に形成された区画部により区画された複数の薬剤充填室６，７を備える複室容器１において、前記薬剤充填室６，７を連通させる可撓性連通部５と、該可撓性連通部５の内部を閉塞した状態で前記容器本体２を折り畳む折り畳み線９と、前記容器本体２の折り畳み状態を維持する折り畳み維持手段１０とを備えた。【選択図】図４
2005287658.tif 000002
【特許請求の範囲】
【請求項１】
容器本体に形成された区画部により区画された複数の薬剤充填室を備える複室容器において、
前記薬剤充填室を連通させる可撓性連通部と、
該可撓性連通部の内部を閉塞した状態で前記容器本体を折り畳む折り畳み線と、
前記容器本体の折り畳み状態を維持する折り畳み維持手段とを備えることを特徴とする、複室容器。
【請求項２】
前記薬剤充填室は、前記区画部により３つ以上に区画されて形成されていることを特徴とする、請求項１記載の複室容器。
【請求項３】
前記可撓性連通部は、前記薬剤充填室の間に２つ以上設けられていることを特徴とする、請求項１記載の複室容器。
【請求項４】
前記折り畳み維持手段は、前記容器本体と前記可撓性連通部を挟持するクリップ部材で構成されていることを特徴とする、請求項１記載の複室容器。
【請求項５】
前記折り畳み維持手段は、前記容器本体を折り畳んで対向する前記薬剤充填室の壁部の外表面に貼着される両面テープで構成されていることを特徴とする、請求項１記載の複室容器。
【発明の詳細な説明】
【技術分野】
【０００１】
本発明は、複室容器に関する。
【背景技術】
【０００２】
現在、投薬直前に２種類以上の薬剤を混合すると、微生物汚染や異物の混入、過誤の混合、迅速な投薬ができない等の欠点がある。このため、複数の薬剤充填室を容器本体内部に形成した複室容器が多数開発されている。このような複室容器のうち、破断部等が破断等するまで各薬剤充填室の連通を禁止する連絡部材を区画部に設け、この区画部と連絡部材で閉塞された複数の薬剤充填室に各未混合薬剤を個別に充填し、投与直前に前記破断部等を破断等して各未混合薬剤を混合するものがある（例えば、特許文献１及び特許文献２参照）。
【特許文献１】特開平７−１５５３６２号公報
【特許文献２】特開平１１−４７２３５号公報
【０００３】
しかしながら、このような複室容器では、前記破断部等が破断等されていなくても、複室容器の口栓を密封するゴム栓に中空針を刺通すれば、薬剤の混合工程を行うことなく、中空針を介して、口栓と連通する薬剤充填室に充填された未混合薬剤を投与することができる。このため、未混合薬剤の誤投与という医療事故を招く危険性が高い。特に、未混合薬剤の混合が完了しているかを、複室容器の外観上の形態から認識することができなかったため、前記医療事故を有効に防止することが困難であった。
【発明の開示】
【発明が解決しようとする課題】
【０００４】
したがって、本発明は、かかる問題点を解消するため、使用するまで容器本体を折り畳んだ状態に維持して薬剤充填室間の連通を禁止し、容器本体の展開と同時に未混合薬剤を混合することができる複室容器を提供し、薬剤の混合工程の完了の有無を複室容器の外観上の形態から判断して、医療事故を未然に防止することができるようにすることを目的とする。
【課題を解決するための手段】
【０００５】
前記課題を解決するための手段として、本発明は、容器本体に形成された区画部により区画された複数の薬剤充填室を備える複室容器において、前記薬剤充填室を連通させる可撓性連通部と、該可撓性連通部の内部を閉塞した状態で前記容器本体を折り畳む折り畳み線と、前記容器本体の折り畳み状態を維持する折り畳み維持手段とを備えたものである。
【０００６】
前記薬剤充填室は、前記区画部により３つ以上に区画されて形成されていてもよい。
【０００７】
前記可撓性連通部は、前記薬剤充填室の間に２つ以上設けられていてもよい。
【０００８】
前記折り畳み維持手段は、前記容器本体と前記可撓性連通部を挟持するクリップ部材で構成されていてもよい。
【０００９】
前記折り畳み維持手段は、前記容器本体を折り畳んで対向する前記薬剤充填室の壁部の外表面に貼着される両面テープで構成されていてもよい。
【発明の効果】
【００１０】
本発明によれば、複室容器の容器本体が折り畳まれている場合には、使用者は、薬剤の混合が完了していないことを外観上の形態から認識することが可能となり、未混合薬剤の誤投与という医療事故を未然に防止することができ、また、折り畳み維持手段を解除して容器本体を展開すると、薬剤充填室が可撓性連通部を介して連通し、未混合薬剤を容易に混合することが可能となる。
【発明を実施するための最良の形態】
【００１１】
以下、添付の図面に従って、本発明の実施形態を説明する。
【００１２】
図１は、本発明の第１実施形態に係る複室容器１を示す。複室容器１は、図１〜３に示したように、対向する２枚の透明なフィルムシートからなる容器本体２と、該容器本体２の開口部に取り付けられた薬剤排出用の口栓２０とで構成される。
【００１３】
複室容器１は、図３に示したように、容器本体２の周辺部に形成された周辺強シール部３を備える。周辺強シール部３は、容器本体２を構成する２枚のフィルムシートの周辺部の内表面が、口栓２０の薬剤排出管２１を挟持した状態で加熱溶着されて形成される。口栓２０は、筒状で、薬剤排出管２１と、中空針が刺通されるまでゴム栓で密封された薬剤排出口２２とで構成されている。
【００１４】
複室容器１は、図２及び３に示したように、容器本体２の中央付近の短手方向に形成された区画強シール部４を備える。区画強シール部４は、容器本体２を構成する２枚のフィルムシートの中央付近の内表面が、可撓性チューブ５を挟持した状態で加熱溶着されて形成され、容器本体２の内部を第１と第２の薬剤充填室６，７に区画している。可撓性チューブ５は、可撓性を有し、さらに好ましくは弾性を有するテフロン（登録商標）等の材料で形成されている。第１の薬剤充填室６の下側は、図３に示したように、両端の周辺強シール部４側から可撓性チューブ５の流入口に向かって下方向に傾斜するように形成されている。可撓性チューブ５は、両端が軸方向に対し直交するように切断されていてもよいが、図４（ａ）〜（ｃ）に示したように、後述のクリップ部材１０で挟持することが容易となるように、斜め方向に切断されているのが好ましい。
【００１５】
複室容器１は、図３及び図４（ａ）に示したように、可撓性チューブ５の内部を閉塞した状態で、容器本体２を２つ折りにして折り畳む折り畳み線９を備える。折り畳み線９は、区画強シール部４が形成された容器本体２の短手方向に形成されている。
【００１６】
複室容器１は、図１，２及び４（ａ）に示したように、容器本体２の折り畳み状態を維持するクリップ部材１０を備える。クリップ部材１０は、容器本体２が折り畳まれた状態で、可撓性チューブ５が加熱溶着されている容器本体２の外表面周辺に取り付けられ、容器本体２及び可撓性チューブ５を挟持する。
【００１７】
次に、前記構成からなる複室容器１を使用する場合の作用について説明する。
【００１８】
複室容器１は、図４（ａ）に示したように、クリップ部材１０によって、容器本体２の折り畳み状態が維持され、可撓性チューブ５も確実に閉塞されているので、容器本体２が自然に展開して、第１と第２の薬剤充填室６，７が、可撓性チューブ５を介して連通することはない。これにより、使用者は、未混合薬剤の混合作業が行われていないことを、複室容器１の外観上の形態から認識することができる。また、複室容器１が使用されるまで、未混合薬剤を第１と第２の薬剤充填室６，７内で保管することができる。
【００１９】
薬剤の混合作業を行う場合、図４（ｂ）に示したように、使用者は、クリップ部材１０を取り外し、図４（ｃ）に示したように、容器本体２を展開する。これにより、可撓性チューブ５が弾性により管状に復帰して、第１と第２の薬剤充填室６，７が、可撓性チューブ５を介して連通し、第１と第２の薬剤充填室６，７に充填された未混合薬剤が混合される。この際、第１の薬剤充填室６の下側が、図３に示したように、両端の周辺強シール部４側から可撓性チューブ５に向かって下方向に傾斜するように形成されているので、第１の薬剤充填室６に充填された未混合薬剤が、区画強シール部４に設けられた可撓性チューブ５に流入し易い。
【００２０】
なお、クリップ部材１０の挟持部の一方は、図５及び６に示したように、複室容器１を収納する外装容器１２（二次容器）の底面と一体的に形成されたり、また、前記外装容器１２（二次容器）の底面にネジ止め固定されたりして、一体化されてもよい。前記のように、クリップ部材１０の挟持部の一方が前記外装容器１２（二次容器）の底面に一体化される場合、複室容器１を外装容器１２（二次容器）の取り出し口側に引き出すと、容器本体２及び可撓性チューブ５に対する挟持が解除するような挟持力でクリップ部材１０の挟持部が構成されているのが好ましい。これにより、使用者は、外装容器１２（二次容器）に設けられたクリップ部材１０を把持して挟持を解除する必要がなく、複室容器１を外装容器１２（二次容器）から取り出して容器本体２を展開すればよい。
【００２１】
図７は、本発明の第２実施形態に係る複室容器１を示す。複室容器１は、第１実施形態と同様に、周辺強シール部３と区画強シール部４が形成された容器本体２と、該容器本体２の開口部に取り付けられた薬剤排出用の口栓２０とで構成される。
【００２２】
折り畳み線９が、第１実施形態と同様に、区画強シール部４に形成されている。容器本体２は、区画強シール部４に設けられた可撓性チューブ５の内部を閉塞した状態で、折り畳み線９で２つ折りにして折り畳まれている。
【００２３】
複室容器１は、図７及び８に示したように、容器本体２の折り畳んだ状態を維持する両面テープ１０'を備える。両面テープ１０'は、図５に示したように、折り畳み線９で折り畳んで対向する第１と第２の薬剤充填室６，７の壁部の外表面にそれぞれ貼着されている。
【００２４】
第２実施形態に係る複室容器１においても、吊下穴１１に不図示のスタンド台のフックを通して複室容器１を吊り下げた状態で、使用者が、第１と第２の薬剤充填室６，７のいずれか一方に貼着された両面テープ１０'の接着面を剥離すると、第２の薬剤充填室７に充填された未混合薬剤の重量で自然に容器本体２が展開する。これにより、可撓性チューブ５が弾性により管状に復帰して、第１と第２の薬剤充填室６，７が、可撓性チューブ５を介して連通し、第１と第２の薬剤充填室６，７に充填された未混合薬剤が混合される。
【００２５】
なお、各実施形態において、複室容器１は、容器本体２の内部を区画強シール部４で２つに区画して、第１と第２の薬剤充填室６，７が形成されているが、容器本体２の内部を区画強シール部４で３つ以上に区画し、３つ以上の薬剤充填室が形成されてもよい。例えば、区画強シール部４は、図９に示したように、容器本体２を構成する２枚のフィルムシートの対向する内表面が加熱溶着されてＴ字状に形成され、薬剤充填室を３つに区画する。この場合、可撓性チューブ２０は、第１と第２の薬剤充填室６，７が第３の薬剤充填室８に連通すれば未混合薬剤を混合することができるため、第１の薬剤充填室６と第３の薬剤充填室８との間と、第２の薬剤充填室７と第３の薬剤充填室８との間に位置する区画強シール部４にそれぞれ設けられる。
【００２６】
また、各実施形態において、複室容器１は、第１と第２の薬剤充填室６，７を連通させる可撓性チューブ５が、区画強シール部４に複数設けられてもよく、例えば、図１０に示したように、区画強シール部４に可撓性チューブ５を２つ設けて、未混合薬剤の混合が容易となるようにしてもよい。
【図面の簡単な説明】
【００２７】
【図１】本発明の第１実施形態に係る複室容器の側面図である。
【図２】本発明の第１実施形態に係る複室容器の斜視図である。
【図３】クリップ部材を取り外して、容器本体を展開した状態の図１の複室容器の正面図であり、可撓性チューブのみ、部分的に断面図で表している。
【図４】（ａ）は、クリップ部材が取り付けられている状態の図１の複室容器の断面図であり、（ｂ）は、クリップ部材を取り外した状態の図１の複室容器の断面図であり、（ｃ）は、容器本体を展開した状態の図１の複室容器の断面図である。
【図５】クリップ部材が一体化された外装容器（二次容器）に収容された状態の複室容器の斜視図である。
【図６】図５の複室容器の側面図であり、外装容器（二次容器）とクリップ部材の挟持部の一方を断面図で表している。
【図７】本発明の第２実施形態に係る複室容器の側面図である。
【図８】両面テープの一方の接着面を剥離して、容器本体を展開した状態の図７の複室容器の正面図であり、可撓性チューブのみ部分的に断面図で表している。
【図９】３つの薬剤充填室を備える本発明に係る複室容器の正面図であり、可撓性チューブのみ、部分的に断面図で表している。
【図１０】２つの可撓性チューブを区画部に設けた本発明に係る複室容器の正面図であり、可撓性チューブのみ部分的に断面図で表している。
【符号の説明】
【００２８】
１  複室容器
２  容器本体
３  周辺強シール部
４  区画強シール部
５  可撓性チューブ材
６  第１の薬剤充填室
７  第２の薬剤充填室
８  第３の薬剤充填室
９  折り畳み線
１０  クリップ部材
１０’  両面テープ
１１  吊下穴
１２  外装容器（二次容器）
２０  口栓
２１  薬剤排出管
２２  薬剤排出口
【図１】
2005287658.tif 000003
【図２】
2005287658.tif 000004
【図３】
2005287658.tif 000005
【図４】
2005287658.tif 000006
【図５】
2005287658.tif 000007
【図６】
2005287658.tif 000008
【図７】
2005287658.tif 000009
【図８】
2005287658.tif 000010
【図９】
2005287658.tif 000011
【図１０】
2005287658.tif 000012